(57)【特許請求の範囲】
【請求項１】
筺体と、
前記筺体に生じた相互に直交する三方向の各加速度を検出する加速度センサと、
前記加速度センサの前記三方向の各加速度を示す出力信号を用いて前記筺体を叩く操作が行われたか否かを検出する叩き検出手段と、
前記加速度センサの前記三方向の各加速度を示す出力信号を用いて前記筺体の落下を検出する落下検出手段と、
回転駆動される記憶媒体、および、機構部によって駆動され前記記憶媒体へアクセスして記憶されているオーディオデータを読み出すヘッドを備えて前記筺体に設置される記憶手段と、
前記記憶手段から読み出された前記オーディオデータを自らのバッファに蓄積させて前記オーディオデータを処理してオーディオ再生を行う再生処理手段と、
前記叩き検出手段が前記叩き操作を検出したとき、前記記憶手段を制御して前記オーディオデータを読み出させ、前記再生処理手段を制御して前記読み出されたオーディオデータを前記バッファへ蓄積させ、前記オーディオデータの処理を行わせるとともに、
前記落下検出手段が前記筺体の落下を検出したとき、前記記憶手段を制御して前記ヘッドを所定の退避位置へ移動させる
制御手段と、
を有し、
前記制御手段は、
前記記憶手段から前記オーディオデータを読み出して前記再生処理手段のバッファへ蓄積させている期間に、前記叩き検出手段による叩き操作の検出よりも前記落下検出手段による落下検出を優先させて行い、
前記記憶手段から前記オーディオデータを読み出して前記再生処理手段のバッファへ前記オーディオデータを蓄積させている期間以外には、前記落下検出手段による落下検出よりも前記叩き検出手段による叩き操作の検出を優先させて行う、
電子機器。
【請求項２】
前記制御手段は、
前記叩き検出手段による前記叩き操作の検出を示す信号と前記落下検出手段による落下検出を示す信号とを同時に入力したときには、前記落下検出に応じた前記記憶手段のヘッドを退避させる処理を優先して行う、
請求項１に記載の電子機器。
【請求項３】
前記加速度センサの前記三方向の各加速度を示す出力信号を用いて前記筺体を振る揺動操作が行われたか否かを検出する振り検出手段をさらに有し、
前記制御手段は、
前記振り検出手段が前記揺動操作を検出したとき、前記揺動操作に対応させて予め定められている、前記記憶手段から前記オーディオデータを読み出させるとともに前記再生処理手段に前記オーディオデータ処理を行なわせ、
前記振り検出手段による前記揺動操作の検出を示す信号と前記落下検出手段による落下検出を示す信号とを同時に入力したときには、前記落下検出に応じた前記記憶手段のヘッドを退避させる処理を優先して行う、
請求項１に記載の電子機器。
【請求項４】
前記加速度センサの前記三方向の各加速度を示す出力信号を用いて前記筺体を回転させる操作が行われたか否かを検出する回転検出手段をさらに有し、
前記制御手段は、
前記回転検出手段が前記回転操作を検出したとき、前記回転操作に対応させて予め定められている、前記記憶手段から前記オーディオデータを読み出させるとともに前記再生処理手段に前記オーディオデータ処理を行なわせ、
前記回転検出手段による前記回転操作の検出を示す信号と前記落下検出手段による落下検出を示す信号とを同時に入力したときには、前記落下検出に応じた前記記憶手段のヘッドを退避させる処理を優先して行う、
請求項１に記載の電子機器。
【発明の詳細な説明】
【技術分野】
【０００１】
本発明は、加速度センサの検出結果を基に処理を行う電子機器に関する。
【背景技術】
【０００２】
例えば、携帯型音楽プレーヤなどは、例えば、シャッフルモードなどにおいて、予め保持するお好みリストデータが示す識別データの楽曲データを優先して選択する。
携帯型音楽プレーヤは、例えば、ユーザによるボタン操作などによって、ユーザが指定した楽曲データの識別データを上記お好みリストデータに追加する。
また、携帯型音楽プレーヤには、再生、削除等する楽曲データを検索および選択させるための操作画面が表示される。従来では、ユーザのボタン操作などに応じて、操作画面の切り替え、操作画面内でのカーソルの移動を行っている。
【特許文献１】特開２００５−１１４７４号公報
【発明の開示】
【発明が解決しようとする課題】
【０００３】
ところで、携帯型音楽プレーヤは、その大きさから、操作ボタンの数には限界がある。その一方、携帯型音楽プレーヤには、様々な機能が備えられている。そのため、従来の携帯型音楽プレーヤでは、ユーザはボタン操作を複数回行って所定の機能を指定することが多い。そのため、操作が煩雑であるという問題がある。
同様の問題は、携帯型音楽プレーヤ以外の電子機器にもある。
【０００４】
本発明は上述した従来技術の問題点を解決するために、操作性を向上させた電子機器を提供することを目的とする。
【課題を解決するための手段】
【０００５】
上述した従来技術の問題点を解決し、上述した目的を達成するため、第１の観点の発明の電子機器は、筺体と、前記筺体に生じた相互に直交する三方向の各加速度を検出する加速度センサと、前記加速度センサの前記三方向の各加速度を示す出力信号を用いて前記筺体を叩く操作が行われたか否かを検出する叩き検出手段と、前記加速度センサの前記三方向の各加速度を示す出力信号を用いて前記筺体の落下を検出する落下検出手段と、回転駆動される記憶媒体、および、機構部によって駆動され前記記憶媒体へアクセスして記憶されているオーディオデータを読み出すヘッドを備えて前記筺体に設置される記憶手段と、前記記憶手段から読み出された前記オーディオデータを自らのバッファに蓄積させて前記オーディオデータを処理してオーディオ再生を行う再生処理手段と、前記叩き検出手段が前記叩き操作を検出したとき、前記記憶手段を制御して前記オーディオデータを読み出させ、前記再生処理手段を制御して前記読み出されたオーディオデータを前記バッファへ蓄積させ、前記オーディオデータの処理を行わせるとともに、前記落下検出手段が前記筺体の落下を検出したとき、前記記憶手段を制御して前記ヘッドを所定の退避位置へ移動させる制御手段と、を有し、前記制御手段は、前記記憶手段から前記オーディオデータを読み出して前記再生処理手段のバッファへ蓄積させている期間に、前記叩き検出手段による叩き操作の検出よりも前記落下検出手段による落下検出を優先させて行い、前記記憶手段から前記オーディオデータを読み出して前記再生処理手段のバッファへ前記オーディオデータを蓄積させている期間以外には、前記落下検出手段による落下検出よりも前記叩き検出手段による叩き操作の検出を優先させて行う。
【０００６】
第１の観点の発明の電子機器の作用は以下のようになる。
加速度センサが、電子機器の筺体に生じた加速度を検出する。
叩き検出手段が、加速度センサの検出結果を基に、筺体が叩かれたか否かを検出する。
落下検出手段が、加速度センサの検出結果を基に、筺体が落下しているか否かを検出する。
制御手段が、記憶手段からデータを読み出して処理手段のバッファに蓄積させている期間には、叩き検出手段による叩き操作の検出よりも落下検出手段による落下検出を優先させる。また、処理手段のバッファへデータを蓄積させている期間以外には、落下検出手段による落下検出よりも叩き検出手段による叩き操作の検出を優先させる。
【０００７】
好適には、前記制御手段は、前記叩き検出手段による前記叩き操作の検出を示す信号と前記落下検出手段による落下検出を示す信号とを同時に入力したときには、前記落下検出に応じた前記記憶手段のヘッドを退避させる処理を優先して行う。
【０００８】
好適には、前記加速度センサの前記三方向の各加速度を示す出力信号を用いて前記筺体を振る揺動操作が行われたか否かを検出する振り検出手段をさらに有し、前記制御手段は、前記振り検出手段が前記揺動操作を検出したとき、前記揺動操作に対応させて予め定められている、前記記憶手段から前記オーディオデータを読み出させるとともに前記再生処理手段に前記オーディオデータ処理を行なわせ、前記振り検出手段による前記揺動操作の検出を示す信号と前記落下検出手段による落下検出を示す信号とを同時に入力したときには、前記落下検出に応じた前記記憶手段のヘッドを退避させる処理を優先して行う。
【０００９】
好適には、前記加速度センサの前記三方向の各加速度を示す出力信号を用いて前記筺体を回転させる操作が行われたか否かを検出する回転検出手段をさらに有し、前記制御手段は、前記回転検出手段が前記回転操作を検出したとき、前記回転操作に対応させて予め定められている、前記記憶手段から前記オーディオデータを読み出させるとともに前記再生処理手段に前記オーディオデータ処理を行なわせ、前記回転検出手段による前記回転操作の検出を示す信号と前記落下検出手段による落下検出を示す信号とを同時に入力したときには、前記落下検出に応じた前記記憶手段のヘッドを退避させる処理を優先して行う。
【発明の効果】
【００１０】
本発明によれば、電子機器の操作性を向上できる電子機器を提供することができる。
【発明を実施するための最良の形態】
【００１１】
以下、本発明の実施形態に係わる携帯型音楽プレーヤについて説明する。
先ず、本実施形態の構成要素と、本発明の構成要素との対応関係を説明する。
携帯型音楽プレーヤ１が本発明の電子機器に対応している。
図１に示す加速度センサ２０が本発明の加速度センサに対応し、図３に示す筐体４１が本発明の筐体に対応し、叩き検出部３１が本発明の叩き検出手段に対応し、制御部３８が本発明の制御手段に対応し、再生処理回路１６が本発明の処理手段に対応している。
また、図１に示す記録ディスク１３が本発明の記録ディスクに対応し、ヘッド１４が本発明のヘッドに対応し、落下検出部３６が落下検出手段に対応している。
【００１２】
また、図８に示すステップＳＴ１８が第２の観点の発明の第１の工程に対応し、ステップＳＴ１９が第２の工程に対応している。
また、図９に示すステップＳＴ２３，ＳＴ２４が第３の観点の発明の第１の工程に対応し、ステップＳＴ２５，ＳＴ２６が第２の工程に対応している。
また、図１に示すプログラムＰＲＧが本発明のプログラムに対応している。
【００１３】
図１は、本発明の実施形態に係わる携帯型音楽プレーヤ１の全体構成図である。
図１に示すように、携帯型音楽プレーヤ１は、操作キー１１、ディスプレイ１２、記録ディスク１３、ヘッド１４、再生処理回路１６、オーディオ出力部１７、加速度センサ２０、メモリ２１、並びに処理回路２２を有する。
図１に示す携帯型音楽プレーヤ１の構成要素は、図３に示すように、薄板状の筐体４１内に収容されている。
【００１４】
操作キー１１は、例えば、図３に示すように、携帯型音楽プレーヤ１の筐体４１の各面に備えられている。
操作キー１１としては、例えば、筐体４１の正面４１ａに設けられた十字キー２７、側面４１ｄに設けられた音量調整キー４５、並びにメニューキー（ＭＥＮＵ）、モードキー（ＭＯＤＥ）がある。
操作キー１１は、ユーザの操作に応じた操作信号を図１に示す処理回路２２の制御部３８に出力する。
【００１５】
ディスプレイ１２は、処理回路２２からの表示信号Ｓ３８ｂに応じた画面を表示する。
当該画面は、例えば、再生するコンテンツ（楽曲データ等）を選択する選曲画面、再生画面、メニュー画面等の操作画面である。
【００１６】
記録ディスク１３は、ハードディスク等の記録媒体である。記録ディスク１３は、楽曲データ等のコンテンツデータを記録する。
ヘッド１４は、記録ディスク１３からコンテンツデータを読み出して再生処理回路１６に出力する。
ヘッド１４は、記録ディスク１３に対してアクセスを行う際にヘッド退避部１５から記録ディスク１３に向けて移動する。
ヘッド１４は、記録ディスク１３に対してアクセスを行わない状態で、ヘッド退避部１５に保持される。ヘッド退避部１５では、ヘッド１４は固定され、携帯型音楽プレーヤ１に衝撃が加わっても、記録ディスク１３の記録領域に損傷を加えない。
ヘッド１４は、図示しない制御機構により、制御部３８からの制御信号Ｓ３８ａを基に、記録ディスク１３内の指定されたアドレスから楽曲データを読み出して再生処理回路１６に出力する。
【００１７】
再生処理回路１６は、ヘッド１４が記録ディスク１３から読み出したコンテンツデータの再生処理を行い、再生信号をオーディオ出力部１７に出力する。
再生処理回路１６は、バッファメモリＢＵＦを備え、記録ディスク１３から予め読み出したコンテンツデータをバッファメモリＢＵＦに記憶する。そして、再生処理回路１６は、バッファメモリＢＵＦからコンテンツデータを読み出して再生処理する。
具体的には、再生処理回路１６は、図２に示すように、バッファメモリＢＵＦに記憶されたコンテンツデータの残量が所定値以下になると（ステップＳＴ５１）、ヘッド１４を用いて記録ディスク１３へのアクセスを開始する（「ステップＳＴ５２」。
そして、再生処理回路１６は、後述するように、落下検出部３６が落下検出をしていないことを条件に（ステップＳＴ５３）、記録ディスク１３からのコンテンツデータの読み出しを開始する（ステップＳＴ５４）。
これにより、記録ディスク１３から読み出したコンテンツデータがバッファメモリＢＵＦに蓄積され（ステップＳＴ５５）、所定量蓄積されると、再生処理回路１６は、記録ディスク１３からの読み出しを完了する（ステップＳＴ５６）。
携帯型音楽プレーヤ１では、ステップＳＴ５１〜ＳＴ５６の期間において、落下検出が叩き検出よりも優先される。
そして、再生処理回路１６は、記録ディスク１３からの読み出しを停止し、バッファメモリＢＵＦから読み出したコンテンツデータを再生処理する（ステップＳＴ５７）。
携帯型音楽プレーヤ１では、ステップＳＴ５７の期間は、叩き検出を優先する。
【００１８】
オーディオ出力部１７は、再生信号を増幅して図３に示すヘッドフォン端子４７からヘッドフォンに出力する。
【００１９】
加速度センサ２０は、図３に示すように、Ｘ，Ｙ，Ｚ方向の加速度を検出し、Ｘ方向の加速度を示す加速度信号Ａ＿Ｘと、Ｙ方向の加速度を示す加速度信号Ａ＿Ｙと、Ｚ方向の加速度を示す加速度信号Ａ＿Ｚとを処理回路２２に出力する。
【００２０】
メモリ２１は、処理回路２２の処理を規定するプログラムＰＲＧと、処理回路２２の処理に用いられる様々なデータＤＡＴＡを記憶する。
【００２１】
処理回路２２は、メモリ２１から読み出したプログラムＰＲＧを実行して携帯型音楽プレーヤ１の動作を制御する。
図１に示すように、処理回路２２は、叩き検出部３１、振り検出部３２、回転検出部３４、落下検出部３６および制御部３８を有する。
処理回路２２の各要素は、それぞれ電子回路として実現してもよいし、ＣＰＵ(Central Processing Unit)がメモリ２１から読み出したプログラムＰＲＧを実行して実現してもよい。
【００２２】
［叩き検出部３１］
叩き検出部３１は、加速度センサ２０から入力した加速度信号Ａ＿Ｘ，Ａ＿Ｙ，Ａ＿Ｚを基に、図３に示す筐体４１の正面４１ａ、裏面４１ｆ、側面４１ｂ，４１ｃ，４１ｄ，４１ｅがユーザによって指などで叩かれたか否かを検出する。
【００２３】
図４は、図１に示す叩き検出部３１による叩き検出処理を説明するための図である。
以下、図４の各ステップを説明する。
ステップＳＴ１：
叩き検出部３１は、加速度センサ２０から入力した加速度信号Ａ＿Ｘ，Ａ＿Ｙ，Ａ＿Ｚを監視し、これらの信号の何れかのレベルに図５に示すしきい値ＴＨ１を超えた連続した変化が生じた後に、しきい値ＴＨ２を超えるパルスが発生し、その後、しきい値ＴＨ１を超えた連続した変化が生じたという条件を満たしたか否かを判断する。
当該条件を満たすのは、例えば、加速度信号Ａ＿Ｘ，Ａ＿Ｙ，Ａ＿Ｚの少なくとも一つのレベルが図５に示す波形になった場合である。
なお、しきい値ＴＨ１を超えた加速度信号Ａ＿Ｘ，Ａ＿Ｙ，Ａ＿Ｚの上記連続した変化は、常にしきい値ＴＨ１を超えている必要はない。
なお、ステップＳＴ１において上記条件を満たすのは、携帯型音楽プレーヤ１をユーザが手で持ちながら、指などで筐体４１を叩いた場合である。
叩き検出部３１は、上記条件を満たしたと判断するとステップＳＴ３に進み、そうでない場合にはステップＳＴ２に進む。
【００２４】
ステップＳＴ２：
叩き検出部３１は、加速度センサ２０から入力した加速度信号Ａ＿Ｘ，Ａ＿Ｙ，Ａ＿Ｚを監視し、これらの全ての信号のレベルが、図６に示すしきい値ＴＨ１以下の状態（変化を殆ど検出しない状態）を保持した後に、これらの信号の何れか一つにしきい値ＴＨ２を超えるパルスが発生し、その後、これらの全ての信号のレベルが再びしきい値ＴＨ１以下の状態を保持したという条件を満たしたか否かを判断する。
当該条件を満たすのは、例えば、加速度信号Ａ＿Ｘ，Ａ＿Ｙ，Ａ＿Ｚの少なくとも一つのレベルが図６に示す波形になった場合である。
なお、ステップＳＴ２において上記条件を満たすのは、携帯型音楽プレーヤ１を台などに置いた状態で、指などで筐体４１を叩いた場合である。
叩き検出部３１は、上記条件を満たしたと判断するとステップＳＴ３に進み、そうでない場合にはステップＳＴ１に戻る。
【００２５】
ステップＳＴ３：
叩き検出部３１は、叩き検出信号Ｓ３１を図１に示す制御部３８に出力する。
【００２６】
叩き検出部３１は、上述した図４に示すステップＳＴ１，ＳＴ２によって携帯型音楽プレーヤ１の筐体４１がユーザによって叩かれたか否かを判断するため、ユーザが携帯型音楽プレーヤ１を台などの置いたときに生じる衝撃を、叩きと誤検出しない。
すなわち、携帯型音楽プレーヤ１を台などに置いた場合には、加速度信号Ａ＿Ｘ，Ａ＿Ｙ，Ａ＿Ｚは、例えば、図７に示す波形となり、この場合には、叩き検出部３１は、図４に示すステップＳＴ１を経てステップＳＴ２において、ステップＳＴ２の上記条件を満たさないと判断し、ステップＳＴ１に戻る。
【００２７】
なお、図４を用いて説明した例では、加速度信号Ａ＿Ｘ，Ａ＿Ｙ，Ａ＿Ｚのいずれか一つにしきい値ＴＨ２を超えるパルスが発生したか否かを基準としたため、図３に示す正面４１ａ、裏面４１ｆ、側面４１ｂ，４１ｃ，４１ｄ，４１ｅのいずれが指などで叩かれた場合でも、有効なパルスとして検出する。その他の例として、叩き検出部３１が、加速度信号Ａ＿Ｘ，Ａ＿Ｙ，Ａ＿Ｚのうち何れの加速度信号にパルスが発生したかも検出し、パルスが発生した加速度信号を特定する情報を叩き検出信号Ｓ３１を制御部３８に出力してもよい。
これにより、制御部３８は、パルスが発生した加速度信号を基に、筐体４１の各面のうちユーザによって叩かれた面によって、予め当該面に対付けた処理を行うことができる。
【００２８】
［振り検出部３２］
振り検出部３２は、加速度センサ２０から入力した加速度信号Ａ＿Ｘ，Ａ＿Ｙ，Ａ＿Ｚを基に、携帯型音楽プレーヤ１がユーザによって振られたか否かを判断し、振られたと判断すると振り検出信号Ｓ３２を図１に示す制御部３８に出力する。
振り検出部３２は、例えば、加速度信号Ａ＿Ｘ，Ａ＿Ｙ，Ａ＿Ｚの少なくとも一つ、あるいは加速度信号Ａ＿Ｘ，Ａ＿Ｙ，Ａ＿Ｚの合成信号が、所定のしきい値を所定のパターンで跨ぐ場合に、上記振られたと判断する。
なお、振り検出部３２は、加速度信号Ａ＿Ｘ，Ａ＿Ｙ，Ａ＿Ｚを基に、携帯型音楽プレーヤ１が振られた方向を示す振り検出信号Ｓ３２を生成してもよい。
【００２９】
［回転検出部３４］
回転検出部３４は、加速度センサ２０から入力した加速度信号Ａ＿Ｘ，Ａ＿Ｙ，Ａ＿Ｚを基に、携帯型音楽プレーヤ１がユーザによって回転されたか否かを判断し、回転されたと判断すると回転検出信号Ｓ３４を図１に示す制御部３８に出力する。
回転検出部３４は、例えば、加速度信号Ａ＿Ｘ，Ａ＿Ｙ，Ａ＿Ｚの組み合わせ、あるいは加速度信号Ａ＿Ｘ，Ａ＿Ｙ，Ａ＿Ｚの合成信号を基に、上記回転を検出する。
【００３０】
［落下検出部３６］
落下検出部３６は、加速度センサ２０から入力した加速度信号Ａ＿Ｘ，Ａ＿Ｙ，Ａ＿Ｚを基に、携帯型音楽プレーヤ１が落下したか否かを判断し、落下したと判断すると落下検出信号Ｓ３６を図１に示す制御部３８に出力する。
落下検出部３６は、例えば、加速度センサ２０が携帯型音楽プレーヤ１の重心に位置している場合に、加速度信号Ａ＿Ｘ，Ａ＿Ｙ，Ａ＿Ｚの合成信号が「０」を示すことを条件に上記落下を検出する。
【００３１】
［制御部３８］
制御部３８は、操作キー１１から入力した操作信号を基に、所定の処理を行う。
さらに、制御部３８は、叩き検出部３１から入力した叩き検出信号Ｓ３１、振り検出部３２から入力した振り検出信号Ｓ３２、回転検出部３４から入力した回転検出信号Ｓ３４を基に、ディスプレイ１２に表示する操作画面の制御、ヘッド１４による記録ディスク１３からの楽曲データの読み出し制御、並びにメモリ２１に記憶されたデータＤＡＴＡの更新処理などの処理を行う。
また、制御部３８は、落下検出部３６から落下検出信号Ｓ３６を入力すると、ヘッド１４をヘッド退避部１５に退避する。
また、制御部３８は、叩き検出部３１、振り検出部３２および回転検出部３４からの検出信号と、落下検出部３６からの落下検出信号Ｓ３６とを同時に入力した場合には、落下検出信号Ｓ３６に基づいたヘッド１４の退避処理を優先して行う。
【００３２】
以下、制御部３８の処理と関連付けて携帯型音楽プレーヤ１の動作例を説明する。
［第１の動作例］
当該動作例では、図３に示すディスプレイ１２に再生画面表示中に携帯型音楽プレーヤ１が、ユーザによって振られたり、叩かれた場合を説明する。
図８は、図１に示す携帯型音楽プレーヤ１の第１の動作例を説明するためのフローチャートである。
制御部３８は、ディスプレイ１２に再生画面を表示中に以下の処理を行う。
【００３３】
ステップＳＴ１１：
図１に示す制御部３８は、加速度センサ２０が有効であるか否かを判断する。
具体的には、制御部３８は、ユーザの操作によって加速度センサ２０の有効・無効を設定できる場合に、その設定内容をチェックして加速度センサ２０が有効であるか否かを判断する。
ステップＳＴ１２：
制御部３８は、加速度センサ２０からの加速度信号Ａ＿Ｘ，Ａ＿Ｙ，Ａ＿Ｚを基に、携帯型音楽プレーヤ１の動き（揺動）を検出したか否かを判断する。
制御部３８は、動きを検出したと判断するとステップＳＴ１３に進み、そうでない場合にはステップＳＴ１２の処理を繰り返す。
【００３４】
ステップＳＴ１３：
制御部３８は、振り検出部３２から振り検出信号Ｓ３２を入力したか否かを判断し、入力したと判断するとステップＳＴ１４に進み、そうでない場合にはステップＳＴ１８に進む。
ステップＳＴ１４：
制御部３８は、加速度センサ２０から加速度信号Ａ＿Ｘ，Ａ＿Ｙ，Ａ＿Ｚを基に、上記振りがＸ方向の振りであるか否かを判断し、Ｘ方向の振りであると判断すると、ステップＳＴ１５に進み、そうでない場合にはステップＳＴ１６に進む。
ステップＳＴ１５：
制御部３８は、メモリ２１に記憶された聞かない曲リストに、再生処理回路１６で現在再生中の楽曲データの識別データを登録する。
制御部３８は、ユーザによってシャッフル再生モードが指定されたときに、記録ディスク１３に記憶されている楽曲データのうち、その識別データが聞かない曲リストに登録されているコンテンツデータは再生対象としての優先度を他のコンテンツデータに対して低く設定する。
【００３５】
ステップＳＴ１６：
制御部３８は、加速度センサ２０から加速度信号Ａ＿Ｘ，Ａ＿Ｙ，Ａ＿Ｚを基に、上記振りがＺ方向の振りであるか否かを判断し、Ｚ方向の振り（例えば、携帯型音楽プレーヤ１を正面に向けて手で持っている状態で手前に傾ける動作）であると判断すると、ステップＳＴ１７に進み、そうでない場合にはステップＳＴ１１に戻る。
ステップＳＴ１７：
制御部３８は、メモリ２１に記憶されたお気に入りリストに、再生処理回路１６で現在再生中の楽曲データの識別データを登録する。
制御部３８は、ユーザによってシャッフル再生モードが指定されたときに、記録ディスク１３に記憶されている楽曲データのうち、その識別データがお気に入りリストに登録されているコンテンツデータは優先的に再生する。
【００３６】
ステップＳＴ１８：
制御部３８は、叩き検出部３１から叩き検出信号Ｓ３１を入力したか否かを判断し、入力したと判断するとステップＳＴ１９に進み、そうでない場合にはステップＳＴ１１に戻る。
ステップＳＴ１９：
制御部３８は、メモリ２１に記憶されたスキップリストに、再生処理回路１６で現在再生中の楽曲データの識別データを登録する。
制御部３８は、ユーザによってシャッフル再生モードが指定されたときに、記録ディスク１３に記憶されている楽曲データのうち、その識別データがスキップリストに登録されているコンテンツデータは再生対象としない。
【００３７】
［第２の動作例］
当該動作例では、図３に示すディスプレイ１２に選曲画面表示中に携帯型音楽プレーヤ１が、ユーザによってＹ方向に振られた場合を説明する。
図９は、図１に示す携帯型音楽プレーヤ１の第２の動作例を説明するためのフローチャートである。
制御部３８は、ディスプレイ１２に選曲画面を表示中に以下の処理を行う。
【００３８】
ステップＳＴ２１：
図１に示す制御部３８は、加速度センサ２０が有効であるか否かを判断する。
具体的には、制御部３８は、ユーザの操作によって加速度センサ２０の有効・無効を設定できる場合に、その設定内容をチェックして加速度センサ２０が有効であるか否かを判断する。
ステップＳＴ２２：
制御部３８は、加速度センサ２０からの加速度信号Ａ＿Ｘ，Ａ＿Ｙ，Ａ＿Ｚを基に、携帯型音楽プレーヤ１の動き（揺動）を検出したか否かを判断する。
制御部３８は、動きを検出したと判断するとステップＳＴ２３に進み、そうでない場合にはステップＳＴ２２の処理を繰り返す。
【００３９】
ステップＳＴ２３：
振り検出部３２は、加速度信号Ａ＿Ｙを基に、携帯型音楽プレーヤ１がＹ方向に振られたか否かを判断し、Ｙ方向に振られたと判断すると、ステップＳＴ２４に進む。
ステップＳＴ２４：
振り検出部３２は、加速度信号Ａ＿Ｙを基に、携帯型音楽プレーヤ１が＋Ｙ方向および−Ｙ方向の何れの方向に振られたか否かを判断し、その判断結果信号を制御部３８に出力する。
制御部３８は、上記判断結果信号を基に、携帯型音楽プレーヤ１が＋Ｙ方向に振られたと判断した場合にステップＳＴ２５に進み、−Ｙ方向に振られたと判断するとステップＳＴ２５に進む。
【００４０】
ステップＳＴ２５：
制御部３８は、表示中の選曲画面内でカーソルを最上位位置に移動する表示信号Ｓ３８ｂを生成し、これをディスプレイ１２に出力する。
ステップＳＴ２６：
制御部３８は、表示中の選曲画面内でカーソルを最下位位置に移動する表示信号Ｓ３８ｂを生成し、これをディスプレイ１２に出力する。
【００４１】
［第３の動作例］
当該動作例では、図３に示すディスプレイ１２に再生画面以外の画面を表示中に携帯型音楽プレーヤ１が、ユーザによって回転された場合を説明する。
図１０は、図１に示す携帯型音楽プレーヤ１の第３の動作例を説明するためのフローチャートである。
制御部３８は、ディスプレイ１２に再生画面以外の画面を表示中に以下の処理を行う。
【００４２】
ステップＳＴ３１：
図１に示す制御部３８は、加速度センサ２０が有効であるか否かを判断する。
具体的には、制御部３８は、ユーザの操作によって加速度センサ２０の有効・無効を設定できる場合に、その設定内容をチェックして加速度センサ２０が有効であるか否かを判断する。
ステップＳＴ３２：
制御部３８は、加速度センサ２０からの加速度信号Ａ＿Ｘ，Ａ＿Ｙ，Ａ＿Ｚを基に、携帯型音楽プレーヤ１の動き（揺動）を検出したか否かを判断する。
制御部３８は、動きを検出したと判断するとステップＳＴ３３に進み、そうでない場合にはステップＳＴ３２の処理を繰り返す。
【００４３】
ステップＳＴ３３：
振り検出部３２は、回転検出部３４から回転検出信号Ｓ３４を入力したか否かを判断し、入力したと判断すると、ステップＳＴ３４に進む。
ステップＳＴ３４：
制御部３８は、再生画面を表示する表示信号Ｓ３８ｂを生成し、これをディスプレイ１２に出力する。
これにより、ディスプレイ１２の表示が再生画面以外の画面から再現画面に切り替わる。
【００４４】
［第４の動作例］
当該動作例では、図３に示すディスプレイ１２に再生画面を表示中に携帯型音楽プレーヤ１が、ユーザによって所定の速度で振られた場合を説明する。
図１１は、図１に示す携帯型音楽プレーヤ１の第４の動作例を説明するためのフローチャートである。
制御部３８は、ディスプレイ１２に再生画面を表示中に以下の処理を行う。
【００４５】
ステップＳＴ４１：
図１に示す制御部３８は、加速度センサ２０が有効であるか否かを判断する。
具体的には、制御部３８は、ユーザの操作によって加速度センサ２０の有効・無効を設定できる場合に、その設定内容をチェックして加速度センサ２０が有効であるか否かを判断する。
ステップＳＴ４２：
制御部３８は、加速度センサ２０からの加速度信号Ａ＿Ｘ，Ａ＿Ｙ，Ａ＿Ｚを基に、携帯型音楽プレーヤ１の動き（揺動）を検出したか否かを判断する。
制御部３８は、動きを検出したと判断するとステップＳＴ４３に進み、そうでない場合にはステップＳＴ４２の処理を繰り返す。
【００４６】
ステップＳＴ４３；
制御部３８は、操作キー１１から操作信号を基に、操作キー１１が操作されたか否かを判断し、操作されたと判断するとステップＳＴ４４に進み、そうでない場合にはステップＳＴ４２に戻る。
ステップＳＴ４４：
振り検出部３２は、加速度センサ２０からの加速度信号Ａ＿Ｘ，Ａ＿Ｙ，Ａ＿Ｚを基に、携帯型音楽プレーヤ１の振れの速さが所定のしきい値以上であるか否かを判断し、しきい値以上であると判断するとステップＳＴ４５に進み、そうでない場合にはステップＳＴ４６に進む。
【００４７】
ステップＳＴ４５：
制御部３８は、例えば、メモリ２１に記憶された明るい曲リスト（本発明の第１のリストデータ）から楽曲データの識別データを選択し、それを記録ディスク１３から読み出すことを指示する制御信号Ｓ３８ａをヘッド１４に出力する。これにより、再生処理回路１６において、明るい曲である楽曲データが再生される。
ステップＳＴ４６：
制御部３８は、例えば、メモリ２１に記憶された暗い曲リスト（本発明の第２のリストデータ）から楽曲データの識別データを選択し、それを記録ディスク１３から読み出すことを指示する制御信号Ｓ３８ａをヘッド１４に出力する。これにより、再生処理回路１６において、暗い曲である楽曲データが再生される。
【００４８】
以上説明したように、携帯型音楽プレーヤ１によれば、ユーザによる携帯型音楽プレーヤ１の筐体４１を叩き操作、携帯型音楽プレーヤ１の振り操作および回転操作を自動的に検出して、予め当該操作に割り当てた処理を自動的に実行する。
これにより、携帯型音楽プレーヤ１のユーザは、煩雑なキー操作から開放され、携帯型音楽プレーヤ１の操作性が向上する。
【００４９】
本発明は上述した実施形態には限定されない。
上述した実施形態では、本発明の電子機器として、携帯型音楽プレーヤ１を例示したが、加速度サンサを搭載し、且つ、外部指示に応じて処理を行うものであれば電子機器の種類は特に限定されない。
本発明の電子機器としては、携帯型音楽プレーヤの他に、携帯電話、携帯式および固定式のビデオ再生装置などを適用してもよい。
また、制御部３８は、叩き検出部３１から叩き検出信号Ｓ３１を所定の時間内に複数回入力した場合に、当該複数回の叩きに対して予め割り当てた処理を行っても良い。
また、上述した実施形態では、操作キー１１の操作と振り検出部３２の検出結果とを組み合わせて入力指示として用いた場合を例示したが、操作キー１１の操作とっ叩き検出信号Ｓ３１とを組み合わせて入力指示として用いても良い。
【産業上の利用可能性】
【００５０】
本発明は、加速度センサの検出結果を基に処理を行う電子機器システムに適用可能である。
【図面の簡単な説明】
【００５１】
【図１】図１は、本発明の実施形態に係わる携帯型音楽プレーヤの全体構成図である。
【図２】図２は、図１に示す携帯型音楽プレーやの記録ディスクへのアクセス処理と、落下検出処理と、叩き検出処理との関係を説明するためのフローチャートである。
【図３】図３は、図１に示す携帯型音楽プレーヤの概観図である。
【図４】図４は、図１に示す叩き検出部による叩き検出処理を説明するための図である。
【図５】図５は、ユーザが携帯型音楽プレーヤを手で持ちながら叩いた場合の加速度信号の波形図である。
【図６】図６は、ユーザが携帯型音楽プレーヤを台に置いた状態で叩いた場合の加速度信号の波形図である。
【図７】図７は、ユーザが携帯型音楽プレーヤを持った状態から台に置いたときの加速度信号の波形図である。
【図８】図８は、図３に示すディスプレイに再生画面表示中に携帯型音楽プレーヤが、ユーザによって振られたり、叩かれた場合の動作例を説明するためのフローチャートである。
【図９】図９は、図３に示すディスプレイに選曲画面表示中に携帯型音楽プレーヤ１が、ユーザによってＹ方向に振られた場合の動作例を説明するためのフローチャートである。
【図１０】図１０は、図３に示すディスプレイに再生画面以外の画面を表示中に携帯型音楽プレーヤが、ユーザによって回転された場合の動作例を説明するためのフローチャートである。
【図１１】図１１は、図３に示すディスプレイに再生画面を表示中に携帯型音楽プレーヤ１が、ユーザによって所定の速度で振られた場合の動作例を説明するためのフローチャートである。
【符号の説明】
【００５２】
１…携帯型音楽プレーヤ、１１…操作キー、１２…ディスプレイ、１３…記録ディスク、１４…ヘッド、１６…再生処理回路、１７…オーディオ出力部、２０…加速度センサ、２１…メモリ、２２…処理回路、３１…叩き検出部、３２…振り検出部、３４…回転検出部、３６…落下検出部、３８…制御部、Ａ＿Ｘ，Ａ＿Ｙ，Ａ＿Ｚ…加速度信号
【図１】
0004360334.tif 000002
【図２】
0004360334.tif 000003
【図３】
0004360334.tif 000004
【図４】
0004360334.tif 000005
【図５】
0004360334.tif 000006
【図６】
0004360334.tif 000007
【図７】
0004360334.tif 000008
【図８】
0004360334.tif 000009
【図９】
0004360334.tif 000010
【図１０】
0004360334.tif 000011
【図１１】
0004360334.tif 000012